(57)【要約】【課題】浴水中に薬液を注入する装置において、薬液吐出口が浴水に接しているとき、浴水に含まれる成分と薬液が凝固反応し、薬液吐出口をふさいで薬液を注入できなくなる課題を解決する。【解決手段】薬液吐出口を浴水の液面より上部にし液面に触れないようにするため、浴水上部に空気層を設ける。注入方法は点滴注入とし、吐出口を細くするか、太い吐出口に薬液を微量ずつ送ることで実現する。空気層を設ける部分に、配管との接続部と本体とを容易に分離可能なバルブを用いると、洗浄や交換などの保守作業が容易になる。【選択図】図２
2010201135.tif 000002
【特許請求の範囲】
【請求項１】
配管の一端に手動バルブを接続し、他端に取り付けた異径ソケットブッシュにサイフォン弁を接続してなる浴水への薬液注入装置であって、サイフォン弁の薬液吐出口と浴水液面との間に空気層を設けて浴水液面が上昇するのを抑え、サイフォン弁の薬液吐出口と浴水とが直接接触しない構造をもつ、浴水への薬液注入装置。
【請求項２】
手動バルブが、配管と本体部分とが容易に分離可能な構造をもつものである、請求項１の薬液注入装置
【請求項３】
手動バルブに代えて自動バルブを用いてなる、請求項１乃至請求項２の薬液注入装置
【請求項４】
サイフォン弁の薬液吐出口の先端を細くし、薬液を点滴注入できる構造にした、請求項１乃至請求項３の薬液注入装置
【請求項５】
サイフォン弁の薬液吐出口の先端を広くし、薬液ポンプの吐出量を抑えることで、サイフォン弁の薬液吐出口の先端に表面張力が生じるようにして、薬液の点滴注入を可能にした、請求項１乃至請求項３の薬液装置
【発明の詳細な説明】
【技術分野】
【０００１】  本発明は、温泉、プールなどの浴水中に塩素系薬液を注入する装置の、薬液吐出口の構造に関する。
【背景技術】
【０００２】  従来の薬液吐出口は、図１のように浴水に直接触れる位置に取り付けられている。塩素系薬液は浴水の滅菌に使用しているため、安定的に薬液を注入する必要があるが、浴水中に凝固成分があったり、注入する薬液と化学反応を起こしたりして薬液吐出口部分に凝固物が付着すると、薬液吐出口を詰まらせてしまい、薬液が十分に注入されなくなる。
【先行特許文献】
【非特許文献】
【０００３】
【非特許文献１】  株式会社ショウエイ  取扱い商品定価表  ２００７年６月版  ４５ページ
【発明の概要】
【発明が解決しようとする課題】
【０００４】  そこで本発明は、薬液吐出口部分に凝固物が付着しにくくなり、かつ凝固物が付着したときには容易に清掃できる構造を持った薬液注入装置を提供するものである。
【課題を解決するための手段】
【０００５】  薬液吐出口部分に凝固物が生じるのは、段落番号０００２でも述べたように、浴水中に含有する成分と注入する薬液が化学反応を起こすことが原因であることが多い。また、浴水中に初めから凝固成分を持つ場合もある。いずれの場合も、薬液吐出口部分が浴水に触れなければ解決するため、本発明では、薬液吐出口を浴水が通る配管の上部に設け、浴水の液面の上部に空気層を設けることで浴水の上昇を防ぎ、空気層の上部に薬液吐出口が表れる構造にする。配管の一端に、ソケットに口径の小さいねじ込み部品を接続するための継手である異径ソケットブッシュを設けて薬液吐出口設置部分とし、他端を、浴水が通る配管に接続する。このとき、薬液吐出口設置部分を上方に向ける。空気は圧縮性であるので、浴水にかかる圧力によって圧縮または膨張され、空気層の高さが変動することから、薬液吐出口部分の配管は従来のものより十分長く取る必要がある。【０００６】  浴水の滅菌に用いられる塩素系薬液の成分によっても凝固物が生じる。このため、清掃も容易にしなければならない。そこで、空気層部分の配管にバルブを設ける。通常使用する際は、バルブを全開にしておく。これは、バルブを絞った状態即ちバルブ内部で閉じた部分がある状態にすると、その部分に薬品成分が付着し凝固しやすくなるためである。バルブを閉じると、薬液吐出口のついた部品を外しても漏水することなく清掃することができる。また、このバルブに、配管との接続部分と本体とを分離できる構造を持つものを用いると、バルブ自体の清掃もできて、維持管理がより容易になる。バルブを設置することで、段落番号０００５で述べた、薬液吐出口設置部分の配管の高さが十分に取れることも利点である。【０００７】  配管に、薬液吐出口設置部分が上方に向くように設置された本発明内には、空気が入った状態になっている。このまま薬液吐出口のついた部品を設置すれば、内部に空気を封入したのと同じ状態になるので、浴水を流し始めても空気が抜けることなく自然に空気層ができる。
【発明の効果】
【０００８】  本発明を用いると、浴水中に含まれる成分と注入する薬液とが凝固反応しやすい場合でも、凝固物による薬液吐出口部分に凝固物が付着しにくくなるため、浴水の滅菌のように安全性の保持が重要な箇所に用いると、薬液注入に対する信頼性が高まる。
【図面の簡単な説明】
【０００９】
【図１】図１は、従来品施工例の、図６に相当する部分の断面図である。
【図２】図２は、本発明を設置した循環濾過システムの例を表した系統図である。
【図３】図３は、本発明の正面図である。
【図４】図４は、本発明の左側面図である。
【図５】図５は、本発明施工例の正面図である。
【図６】図６は、本発明施工例の上面図である。
【図７】図７は、本発明施工例Ａ部分の断面図Ｂ−Ｂ’である。
【図８】図８は、点滴注入を行う本発明の薬液吐出口Ｃ部分の拡大図である。
【図９】図９は、表面張力を用いて注入を行う本発明の薬液吐出口Ｃ部分の拡大図である。
【図１０】図１０は、図２の循環濾過システムにおいて、浴槽からの配管がヘアキャッチに接続される手前に本発明を設置した状態を表した系統図である。
【図１１】図１１は、図２の循環濾過システムにおいて、熱交換器から浴槽へ戻る途中の配管上に本発明を設置した状態を表した系統図である。
【発明を実施するための形態】
【００１０】  以下、図を用いて説明する。図１は段落番号０００２で述べたように、従来の薬液注入用継手を用いた薬液注入装置である。
【実施例】
【００１１】  図２は、本発明を浴槽またはプールの循環濾過システムに用いた例である。本発明は符号１で表されている。符号２の薬液タンクに貯蔵されている薬液を、符号３の薬液ポンプを用いて、浴水中に注入する箇所に設置されている。【００１２】  図３は本発明の正面図、図４は本発明の左側面図である。構造は、符号４の本発明に用いる配管の一端に符号５のバルブを取り付け、他端に薬液吐出口が取り付けられる口径のものを選定した、符号６の異径ソケットブッシュを取り付けるものである。図面上、符号５のバルブは手動のものとなっている。これは、清掃の際に動かすのみであり、コストを考えて手動バルブが最適であるためであるが、自動バルブを用いても同様の効果が得られる。本発明を施工した例が、図５及び図６である。図５は本発明の施工例正面図、図６は本発明の施工例上面図である。符号７で表される、図３乃至図４で示された本発明の本体部分が、符号８の浴水が通る配管に取り付けられた、符号９の異径チーズに接続され、符号６の異径ソケットブッシュに符号１０のサイフォン弁がねじ込まれている。符号１１の薬液吐出口は、符号１０のサイフォン弁の一部として取り付けられている。【００１３】  図７は、本発明施工例Ａ部分の断面図Ｂ−Ｂ’である。符号１２の浴水の液面の上部に、符号１３のように空気層があり、符号１１の薬液吐出口が直接浴水に触れない構造になっている。浴水にかかる圧力が高まり、符号１２の浴水の液面が上昇しても、符号１１の薬液吐出口が直接浴水に触れないだけの高さを確保している。図７では、符号１３のボール位置が全開の状態になっている。これは、使用時即ち薬液の注入時を表す。符号１０のサイフォン弁を清掃する際は、符号１４のボールの位置を全閉にすると、空気とともに浴水が漏れ出すことなく符号１０のサイフォン弁を取り外すことができる。ともに符号５のバルブの構成部品である、符号１５のボディと符号１６のキャップナットには、符号１７のようにねじ構造があり、符号１５のボディの両端にねじ込まれている符号１６のキャップナットを双方緩めてボディから放すと、配管を壊すことなくバルブ本体の清掃または交換を行うことができる。このとき、配管からの縁切りに符号５のバルブは使用できないため、本発明の手前の配管上に別のバルブを設け、符号５の、本発明に用いているバルブを外す前に締めておく必要がある。【００１４】  図７のように薬液吐出口の形状は従来のものでも利用可能であるが、薬液の注入方法は点滴注入を想定しているため、薬液吐出口の形状としては、先端が細くなっている図８か、先端を太くし薬液注入ポンプの吐出量を抑えることで薬液吐出口の先端に表面張力が生じるようにする図９の形状にすると、より精密な制御が可能である。図７、図８及び図９ともに、符号１８の薬液の落下の様子を想像線を用いて表している。塩素系薬液は水よりも比重が重いため、浴水中に直接注入せず高所から落下させる方法で注入しても十分に混ざり合う。【００１５】  図１０及び図１１は、図２の循環濾過システムにおいて、薬液の注入点即ち本発明の実施位置が異なる例である。図１０は浴槽からの配管がヘアキャッチに接続される手前に設置された状態を表した系統図、図１１は��交換器から浴槽へ戻る途中の配管上に設置された状態を表した系統図である。このように、現場の状況によって薬液の注入点が異なるが、いずれの場合にも本発明は問題なく使用できる。
【産業上の利用可能性】
【００１６】  本発明は、浴水中に含まれる成分と注入する薬液とが凝固反応しやすい箇所に用いると有効である。例えば、図１では浴槽またはプールの循環濾過システムに用いられた例を示しているが、浴槽水が上水でなく、海水、温泉水、井水などの凝固成分その他の化学物質や不純物を含有している水である場合、滅菌に用いられる塩素系薬液と反応し凝固することで、薬液注入口が目詰まりして十分に滅菌用塩素系薬液を注入できず、レジオネラ属菌などの有害な菌が繁殖する可能性がある。こうした箇所に用いれば、設備の安全性を確保できる。
【符号の説明】
【００１７】１    本発明
２    薬液タンク
３    薬液注入ポンプ
４    本発明に用いる配管
５    バルブ
６    異径ソケットブッシュ
７    図３乃至図４で示された本発明の本体部分
８    浴水が通る配管
９    異径チーズ
１０  サイフォン弁
１１  薬液吐出口
１２  浴水の液面
１３  空気層
１４  バルブのボール
１５  バルブのボディ
１６  バルブのキャップナット
１７  バルブのねじ部
１８  薬液
【図１】
2010201135.tif 000003
【図２】
2010201135.tif 000004
【図３】
2010201135.tif 000005
【図４】
2010201135.tif 000006
【図５】
2010201135.tif 000007
【図６】
2010201135.tif 000008
【図７】
2010201135.tif 000009
【図８】
2010201135.tif 000010
【図９】
2010201135.tif 000011
【図１０】
2010201135.tif 000012
【図１１】
2010201135.tif 000013